(57)【特許請求の範囲】
【請求項１】
橋脚間に渡って張出架設工法により構築される橋桁に作用する水平反力を調整するための装置であって、
径間の閉合部において、橋軸方向に対向する前記橋桁のウェブ内部にそれぞれ埋設固定した一対の定着具と、
前記一対の定着具が互いに離れる向きの水平力を加力可能な水平加力手段とを備えることを特徴とする水平反力調整装置。
【請求項２】
前記定着具を、プレストレストコンクリート構造物におけるＰＣ鋼材を緊張してコンクリート部材に定着するＰＣ定着部近傍を補強するための定着具筋と、前記ＰＣ鋼材の端部を定着するための筒状のガイドとを用いて構成したことを特徴とする請求項１に記載の水平反力調整装置。
【請求項３】
前記定着具を、前記ウェブの断面図心に埋設固定したことを特徴とする請求項１または２に記載の水平反力調整装置。
【請求項４】
橋脚間に渡って張出架設工法により構築される橋桁に作用する水平反力を調整するための方法であって、
径間の閉合部において、橋軸方向に対向する前記橋桁のウェブ内部にそれぞれ一対の定着具を埋設固定した後、
前記一対の定着具が互いに離れる向きの水平力を加力することを特徴とする水平反力調整方法。
【請求項５】
前記定着具を、プレストレストコンクリート構造物におけるＰＣ鋼材を緊張してコンクリート部材に定着するＰＣ定着部近傍を補強するための定着具筋と、前記ＰＣ鋼材の端部を定着するための筒状のガイドとを用いて構成したことを特徴とする請求項４に記載の水平反力調整方法。
【請求項６】
前記定着具を、前記ウェブの断面図心に埋設固定したことを特徴とする請求項４または５に記載の水平反力調整方法。
【発明の詳細な説明】
【技術分野】
【０００１】
本発明は、ラーメン橋などの橋桁の水平反力を調整するために用いられる水平反力調整装置および方法に関し、特に、プレストレストコンクリート構造においてＰＣ鋼材（ＰＣテンドン）を定着するＰＣ定着具などを用いた水平反力調整装置および方法に関するものである。
【背景技術】
【０００２】
従来、多径間ラーメン橋などの橋梁では、図１３（１）に示すように、主桁のクリープ・乾燥による収縮変形により、橋脚が橋軸方向中央に向けて傾く傾向にある。特に、固定支間長に対して橋脚高さが低い場合は、橋軸方向端部の橋脚に発生する曲げモーメントが大きくなり、過大な断面力が橋脚に作用することとなる。
【０００３】
こうした問題に対する解決策として、水平反力調整工を適用した橋梁工事の事例が増えている。この水平反力調整工は、図１３（２）に示すように、橋を閉合してつなぐ前に、ジャッキ等を用いて水平方向に加力して橋脚を橋軸方向外側に押し広げ、その状態で橋を閉合することで、端部の橋脚基部の応力軽減を図るものである。
【０００４】
従来の水平反力調整工の加力方法としては、構造部材を切り欠いて主桁断面に直接的に加力する方法と、閉合部の前後に鋼製またはコンクリート製の突起を設けて主桁断面に間接的に加力する方法とがある。近年の施工実績では、コンクリート製突起や、切り欠きによるものが多く採用されている。特に、大容量の水平反力調整工では、コンクリート製突起が採用されている。コンクリート製突起が採用される理由としては、閉合部のウェブ厚に対して水平加力設備の規模が大きく、加力点の安全性能が確保できないためであると考えられる。
【０００５】
図１４（１）は、コンクリート製突起の適用例を示した主桁断面図であり、（２）は写真図である。これらの図に示すように、この方式では、主桁１のウェブ２の側面にコンクリート製突起３を設け、この突起３にジャッキ４からの水平加力を作用させる。この方式は、上述したように大容量の加力では標準的な方式であり、閉合部のコンクリート打設を１回で行える利点があるが、突起３の施工や型枠の組払しなどの施工に日数を要するという問題がある。また、部材に対して水平方向の偏心が生じ、それに伴う技術検討（例えばＦＥＭ解析）や鉄筋補強の必要が生じることや、突起重量を上げ越し計算で考慮しなければならず、主桁１の応力度、上げ越し値への影響を確認しなければならないこと、内側のウェブ２に設ける突起３が設置予定の管路設備と干渉するといった問題もある。
【０００６】
図１５は、鋼製突起の適用例を示した主桁断面図である。この図に示すように、この方式では、断面図心軸に加力できるため鉛直方向の偏心がないという利点がある。しかしながら、鋼製突起５を固定するための施工用孔が多数必要であるため、仕上げ跡により美観を損ねることや、仕上げ作業に日数を要するという問題がある。また、外側のウェブ２の外側に鋼製突起５を設けるため、移動作業車の鋼製型枠がそのまま使用できず、型枠および支保工の設置に日数を要するといった問題もある。
【０００７】
図１６は、部材切り欠きの適用例を示した主桁断面図である。この図に示すように、この方式では、断面図心軸・部材軸に加力できるため部材に対して水平方向の偏心がないという利点がある。しかしながら、切り欠き部６のコンクリート打設のため、コンクリート打設が２回となることや、水平加力が大きい場合、加力点の耐力（ウェブ厚、補強鉄筋など）が必要であるという問題がある。
【発明の概要】
【発明が解決しようとする課題】
【０００８】
上述したように、従来のコンクリート製突起等を設けて加力する方法は、作業手間の増大や工期の長期化を招来するおそれがあった。このため、作業手間や工期のかからないより簡便な技術の開発が求められていた。
【０００９】
本発明は、上記に鑑みてなされたものであって、より簡便な水平反力調整装置および方法を提供することを目的とする。
【課題を解決するための手段】
【００１０】
上記した課題を解決し、目的を達成するために、本発明に係る水平反力調整装置は、橋脚間に渡って張出架設工法により構築される橋桁に作用する水平反力を調整するための装置であって、径間の閉合部において、橋軸方向に対向する前記橋桁のウェブ内部にそれぞれ埋設固定した一対の定着具と、前記一対の定着具が互いに離れる向きの水平力を加力可能な水平加力手段とを備えることを特徴とする。
【００１１】
また、本発明に係る他の水平反力調整装置は、上述した発明において、前記定着具を、プレストレストコンクリート構造物におけるＰＣ鋼材を緊張してコンクリート部材に定着するＰＣ定着部近傍を補強するための定着具筋と、前記ＰＣ鋼材の端部を定着するための筒状のガイドとを用いて構成したことを特徴とする。
【００１２】
また、本発明に係る他の水平反力調整装置は、上述した発明において、前記定着具を、前記ウェブの断面図心に埋設固定したことを特徴とする。
【００１３】
また、本発明に係る水平反力調整方法は、橋脚間に渡って張出架設工法により構築される橋桁に作用する水平反力を調整するための方法であって、径間の閉合部において、橋軸方向に対向する前記橋桁のウェブ内部にそれぞれ一対の定着具を埋設固定した後、前記一対の定着具が互いに離れる向きの水平力を加力することを特徴とする。
【００１４】
また、本発明に係る他の水平反力調整方法は、上述した発明において、前記定着具を、プレストレストコンクリート構造物におけるＰＣ鋼材を緊張してコンクリート部材に定着するＰＣ定着部近傍を補強するための定着具筋と、前記ＰＣ鋼材の端部を定着するための筒状のガイドとを用いて構成したことを特徴とする。
【００１５】
また、本発明に係る他の水平反力調整方法は、上述した発明において、前記定着具を、前記ウェブの断面図心に埋設固定したことを特徴とする。
【発明の効果】
【００１６】
本発明に係る水平反力調整装置によれば、橋脚間に渡って張出架設工法により構築される橋桁に作用する水平反力を調整するための装置であって、径間の閉合部において、橋軸方向に対向する前記橋桁のウェブ内部にそれぞれ埋設固定した一対の定着具と、前記一対の定着具が互いに離れる向きの水平力を加力可能な水平加力手段とを備えるので、定着具を加力点に埋設することで、ウェブ側面に設ける従来の突起などの増し厚が不要となり、作業手間や工期のかからないより簡便な水平反力調整装置を提供することができるという効果を奏する。
【００１７】
また、本発明に係る他の水平反力調整装置によれば、前記定着具を、プレストレストコンクリート構造物におけるＰＣ鋼材を緊張してコンクリート部材に定着するＰＣ定着部近傍を補強するための定着具筋と、前記ＰＣ鋼材の端部を定着するための筒状のガイドとを用いて構成したので、加力点付近の部材補強を、実績のあるＰＣ定着具の指針等によって容易に決定することができるという効果を奏する。
【００１８】
また、本発明に係る他の水平反力調整装置によれば、前記定着具を、前記ウェブの断面図心に埋設固定したので、水平加力を主桁断面に直接的に加力することができるという効果を奏する。
【００１９】
また、本発明に係る水平反力調整方法によれば、橋脚間に渡って張出架設工法により構築される橋桁に作用する水平反力を調整するための方法であって、径間の閉合部において、橋軸方向に対向する前記橋桁のウェブ内部にそれぞれ一対の定着具を埋設固定した後、前記一対の定着具が互いに離れる向きの水平力を加力するので、定着具を加力点に埋設することで、ウェブ側面に設ける従来の突起などの増し厚が不要となり、作業手間や工期のかからないより簡便な水平反力調整方法を提供することができるという効果を奏する。
【００２０】
また、本発明に係る他の水平反力調整方法によれば、前記定着具を、プレストレストコンクリート構造物におけるＰＣ鋼材を緊張してコンクリート部材に定着するＰＣ定着部近傍を補強するための定着具筋と、前記ＰＣ鋼材の端部を定着するための筒状のガイドとを用いて構成したので、加力点付近の部材補強を、実績のあるＰＣ定着具の指針等によって容易に決定することができるという効果を奏する。
【００２１】
また、本発明に係る他の水平反力調整方法によれば、前記定着具を、前記ウェブの断面図心に埋設固定したので、水平加力を主桁断面に直接的に加力することができるという効果を奏する。
【図面の簡単な説明】
【００２２】
【図１】図１は、本発明に係る水平反力調整装置および方法が適用される閉合前の橋梁の概略側面図である。
【図２】図２は、本発明に係る水平反力調整装置および方法の実施の形態を示す主桁断面図である。
【図３】図３は、本発明に係る水平反力調整装置および方法の実施の形態を示す側断面図である。
【図４】図４は、本発明に係る水平反力調整装置および方法の実施の形態を示す写真図である。
【図５】図５は、本発明に係る水平反力調整装置および方法の実施の形態を示す部分拡大図である。
【図６】図６は、本発明に係る水平反力調整装置および方法の実施の形態を示す作用説明図である。
【図７】図７は、本発明に係る水平反力調整装置および方法の実施の形態を示す施工手順図である。
【図８】図８は、本発明に係る水平反力調整装置および方法の他の実施の形態を示す主桁断面図である。
【図９】図９は、押し止め線のシミュレーションを示す図である。
【図１０】図１０は、押し止め線のシミュレーションを示す図である。
【図１１】図１１は、加力管理の一例を示す図である。
【図１２】図１２は、加力結果の一例を示す図である。
【図１３】図１３は、従来の多径間ラーメン橋の課題および対策の説明図であり、（１）は課題、（２）は対策を示したものである。
【図１４】図１４は、従来の水平加力方式（コンクリート製突起）の適用例を示した図であり、（１）は主桁断面図、（２）は写真図である。
【図１５】図１５は、従来の水平加力方式（鋼製突起）の適用例を示した主桁断面図である。
【図１６】図１６は、従来の水平加力方式（部材切り欠き）の適用例を示した主桁断面図である。
【発明を実施するための形態】
【００２３】
以下に、本発明に係る水平反力調整装置および方法の実施の形態を、ＰＣ（プレストレスト・コンクリート）からなる連続エクストラドーズド橋に適用する場合を例にとり図面に基づいて詳細に説明する。なお、この実施の形態によりこの発明が限定されるものではない。
【００２４】
図１は、本発明に係る水平反力調整装置および方法が適用される閉合前の橋梁を示したものである。この図に示すように、本発明に係る水平反力調整装置１０は、橋脚１２間に渡って張出架設工法により構築される主桁１４（橋桁）に作用する水平反力を調整するための装置であって、径間の閉合部Ａに設けられるものである。
【００２５】
図２は、閉合部Ａの主桁断面図である。この図に示すように、本発明が適用される主桁断面は２室箱桁であり、構造中心線Ｃ上の内ウェブ１６と、その外側に配置される外ウェブ１８とを有する。外ウェブ１８は斜ウェブとなっている。ウェブ厚は比較的厚い（例えば５４０ｍｍ程度）。本発明に係る水平反力調整装置１０は、定着具・切り欠き併用方式を採用し、その加力点は、ウェブ１６、１８を切り欠いた切り欠き部３２の断面図心軸Ｚ１および部材軸Ｚ２上に配置される。
【００２６】
また、必要な水平加力は、２室箱桁の３ウェブに均等に載荷するものと仮定すると、設計水平力が１０８００ｋＮの場合には、加力点３箇所であることから１箇所あたりの水平力は３６００ｋＮとなり、加力設備の要求能力は１加力点あたり４０００ｋＮ程度となる。なお、上記の設計水平力は、施工条件による誤差（構造物の剛性、外気温の影響）を見込んでいる。
【００２７】
ところで、コンクリート構造物をプレストレストコンクリート構造あるいはプレストレスト鉄筋コンクリート構造にする場合や、コンクリートブロック同士を緊結する場合には、ＰＣ鋼材を緊張し、ＰＣ鋼材端部をコンクリートに定着してこのＰＣ鋼材の復元力によりコンクリートにプレストレスを与えるが、この場合、ＰＣ鋼材を緊張して定着するＰＣ定着部付近のコンクリートには、大きな圧縮応力と、この圧縮応力と直交する方向に割裂応力が発生する。このため、このＰＣ定着部には、圧縮応力をコンクリートに均等に配分するためのＰＣ鋼材に対して直角に定着板（ＰＣ定着具）を配設するとともに、ＰＣ定着部付近のコンクリート内には、割裂応力に対応するためのスパイラル筋やグリッド筋などの定着具筋（補強筋）を配設して、ＰＣ定着部およびその近傍における割裂の発生を防止するようにしている。
【００２８】
一方、本実施の形態のウェブは比較的厚いものを想定しているが、１加力点当たり大きな水平力（例えば４０００ｋＮ）を作用させるには部材の厚さが不十分の場合がある。そこで、薄い部材であっても大きな力を作用させることができる上記のＰＣの技術に着目し、加力点に、補強方法が確立している上記のＰＣ定着具を補強材として用いることで、ウェブに直接加力できる方式とする。
【００２９】
図３は、閉合部Ａの部分拡大図である。この図に示すように、本発明に係る水平反力調整装置１０は、橋軸方向（図の左右方向）に対向する主桁１４のウェブ１６、１８内部にそれぞれ埋設固定した一対の定着具２０と、一対の定着具２０が互いに離れる向きの水平力を加力可能な水平加力手段としての油圧ジャッキ２２と、軸力部材２４と、調整材２６と、設置用ブラケット２８と、仮受け用架台３０と、図示しない油圧ポンプユニットとを備える。油圧ジャッキ２２〜仮受け用架台３０は、一対の定着具２０間においてウェブ１６、１８に形成された切り欠き部３２に直線状に配置される。
【００３０】
定着具２０は、橋軸方向の軸心を有し、切り欠き部３２側に近づくに従いテーパー状に拡径した略筒状のガイド２０Ａと、ガイド２０Ａの周囲に同軸上に配置された螺旋状のスパイラル筋２０Ｂ（定着具筋）と、その外周側に配置された補強筋２０Ｃ、２０Ｄ（定着具筋）と、定着ブロック２０Ｅとからなる。定着具２０は、規格の荷重（例えば４０００ｋＮ程度）に対して十分な耐力を有するものを使用する。
【００３１】
ガイド２０Ａは、プレストレストコンクリート構造物におけるＰＣ鋼材を緊張して端部をコンクリート部材に定着するための定着具を使用している。スパイラル筋２０Ｂ、補強筋２０Ｃ、２０Ｄはこの定着部近傍を補強するためのものである。また、定着ブロック２０Ｅは、ガイド２０Ａの拡径側端面に固定された円盤状のものである。なお、定着ブロック２０Ｅには、ＰＣ定着具としての名残として、ＰＣ鋼材を挿通および保持するための円錐台形状をなす貫通穴が複数設けられている。
【００３２】
なお、本実施の形態では、定着具筋がスパイラル筋２０Ｂ等で構成される場合について説明するが、これに限るものではなく、定着具筋をガイド２０Ａの軸方向視で井桁状に組み立てられたグリッド筋で構成することもできる。
【００３３】
油圧ジャッキ２２は、必要な最大加力量および最大ストローク（例えば４０００ｋＮ程度、３００ｍｍ程度）の加力性能を有するものであり、図示しない油圧ポンプによって稼働する。油圧ジャッキ２２のシリンダーは軸力部材２４の左端に固定される。
【００３４】
軸力部材２４は、油圧ジャッキ２２の最大加力量の軸力に耐えうる部材により構成することができる。本実施の形態では、例えば山留め４０００ｋＮ程度の軸力を導入できる山留材を使用する。
【００３５】
調整材２６は、２つの山留材２６Ａ、２６Ｂと、硬質ゴム板２６Ｃと、支圧部ずれ止め板２６Ｄと、内部に砂が充填された板状の解体用サンドジャッキ２６Ｅとを有する。
【００３６】
図３の左側に示すように、山留材２６Ａの右端には油圧ジャッキ２２のピストンロッドが接続され、左端には硬質ゴム板２６Ｃを介して支圧部ずれ止め板２６Ｄが固定される。支圧部ずれ止め板２６Ｄと山留材２６Ａとの間に硬質ゴム板２６Ｃを設置することで、加圧面の不陸を緩和している。
【００３７】
支圧部ずれ止め板２６Ｄは、平鋼板の中央に円筒状のフランジを有する開口を設けたものであり、開口で定着ブロック２０Ｅに外嵌係合している。さらに、支圧部ずれ止め板２６Ｄ、硬質ゴム板２６Ｃ、山留材２６Ａは、仮固定用アンカー２６Ｆを介してウェブ１６、１８に固定され、一体化している。こうすることで、軸力直角方向へのずれ発生を防止している。
【００３８】
また、図３の右側に示すように、山留材２６Ｂの左端は解体用サンドジャッキ２６Ｅを介して軸力部材２４の右端に連結している。ここで、軸力部材２４と山留材２６Ｂとの間に解体用サンドジャッキ２６Ｅを設置したのは、ジャッキ解放用のストロークの解放（戻し量）のためである。一方、山留材２６Ｂの右端は、上記と同様にして硬質ゴム板２６Ｃ、支圧部ずれ止め板２６を介して定着ブロック２０Ｅに係合されており、さらに仮固定用アンカー２６Ｆによりウェブ１６，１８に一体的に固定されている。
【００３９】
設置用ブラケット２８は、左右の定着具２０の下方のウェブ１６、１８に橋軸直交方向に取り付けられたものであり、例えば溝形鋼により構成することができる。
【００４０】
仮受け用架台３０は、油圧ジャッキ２２、軸力部材２４、調整材２６を仮受けするためのものであり、例えば橋軸方向に延在するＨ形鋼により構成することができる。仮受け用架台３０の両端部は左右の設置用ブラケット２８の上面に固定される。
【００４１】
図４は、本発明に係る水平反力調整装置１０の実施例を示す写真図である。この図に示すように、ウェブ１６、１８の側部にはみ出さすことなく、図心軸およびウェブの部材軸に水平反力調整装置１０を設置することができる。このため、本実施の形態によれば、景観性に配慮し、主桁外面の仕上げ作業を、上記の従来の技術に比べて比較的少なくすることができる。
【００４２】
上記の構成の動作および作用について説明する。
図５および図６に示すように、油圧ジャッキ２２を作動し、調整材２６を介してウェブ１６、１８に埋設されている定着具２０に水平方向に加力する。これにより、水平加力を主桁断面に直接的に加力することができ、図示しない橋脚が橋軸方向外側に押し広げられる。この状態で橋を閉合することにより、端部の橋脚基部の応力軽減を図ることができる。
【００４３】
本実施の形態によれば、断面図心軸、部材図心軸に加力できる。また、定着具２０を加力点に埋め込むことで、ウェブ側面に設ける上記の従来のコンクリート製突起などの増し厚が不要である。さらに、加力点付近の部材補強仕様は、実績のあるＰＣ定着具の指針等によって容易に決定できる。また、内ウェブ１６を切り欠き方式とすることで、設置予定の管路設備との干渉がなくなる。また、使用資材が少なくてすみ、工程遅延のリスクを低減することができる。このため、本実施の形態によれば、上記の従来の技術に比べて作業手間や工期がかからない。したがって、工期の短縮を図ることができる簡便な水平反力調整装置および方法を提供することができる。
【００４４】
図７は、ＰＣ多径間連続エクストラドーズド橋に本発明を適用する場合の水平反力調整の概略手順を示したものである。まず、図７（１）に示すように、Ｐ１−Ｐ２間を閉合する前に、閉合部に本発明を適用して水平力Ｆ１を加力して変位ｄ１だけ変位させた後、閉合する。次に、図７（２）に示すように、Ｐ３−Ｐ４間を閉合する前に、閉合部に本発明を適用して水平力Ｆ２を加力して変位ｄ２だけ変位させた後、閉合する。最後に、図７（３）に示すように、Ｐ２−Ｐ３間を閉合する前に、閉合部に本発明を適用して水平力Ｆ３を加力して変位ｄ３だけ変位させた後、閉合する。このようにして、本発明を適用して橋梁を施工することができる。
【００４５】
上記の実施の形態において、本発明に係る水平反力調整装置１０を同一ウェブの上下に複数配置してもよい。例えば、図８に示すように水平反力調整装置１０を上下に２つ配置し、２加力点として水平加力を作用させてもよい。
【００４６】
また、上記の実施の形態においては、本発明に係る水平反力調整装置１０を２室箱桁のウェブ１６、１８に適用する場合について説明したが、本発明はこれに限るものではなく、例えば１室箱桁や３室箱桁に備わるウェブに適用してもよく、いずれにしても上記と同様な作用効果を奏することができる。
【００４７】
次に、本発明を実施する場合の水平加力作業の管理について図９〜図１２を参照しながら説明する。
【００４８】
まず、管理方法の検討について説明する。管理のためには、どこまで加力すればよいかという押し止め線を事前に設定する必要がある。そこで、端部橋脚の応力状態を改善するのに必要な水平加力量を、パラメータースタディで算出した。
【００４９】
図９は、橋脚剛性、構造物温度のパラメータースタディの結果である。縦軸に必要水平加力量、横軸にそのときの張出し先端の水平変位量を示す。この図に示すように、橋脚剛性は−１０％から１０％刻みで＋３０％まで、構造物温度は１０℃から５℃刻みで３０℃まで変化させている。プロットの点は、その条件で必要な水平加力量と水平変位量を示している。
【００５０】
その結果、図１０に示すように、橋脚剛性に関しては、橋脚剛性が３０％高くなっても必要変位は１ｍｍしか変わらないことがわかる。また、構造物温度に関しては、温度変化１℃あたりの変位補正量がわかる。そこで、管理方法としては、閉合部間隔の変化量を管理する「変位管理法」を採用することとした。
【００５１】
図１１は、管理に用いた管理図である。横軸は閉合部間隔変化量、縦軸は油圧ジャッキの圧力である。まず、事前の計算から標準温度１０℃のときの押し止め線を４８．７ｍｍに設定した。次に、当日の桁温度が２２℃であることを確認し、温度補正を加えた押し止め線６４．６ｍｍを設定した。水平加力は、この６４．６ｍｍの変位を確保できれば完了となる。また、加力部の許容耐荷力から、絶対上限線を加えた。
【００５２】
図１２は、加力の実施結果を示したものである。前日に行ったプレ加力の結果、本加力の結果を示している。加力量を５ＭＰａごとに刻み、異常がないことを確認しながら加力した。押し止め線の変位６４．６ｍｍを確保できたことを確認し、水平加力を完了した。この図より、下部工の剛性が６％程度低いことが確認できた。また、２回の加力とも弾性的な挙動をすることが確認できた。
【００５３】
以上説明したように、本発明に係る水平反力調整装置によれば、橋脚間に渡って張出架設工法により構築される橋桁に作用する水平反力を調整するための装置であって、径間の閉合部において、橋軸方向に対向する前記橋桁のウェブ内部にそれぞれ埋設固定した一対の定着具と、前記一対の定着具が互いに離れる向きの水平力を加力可能な水平加力手段とを備えるので、定着具を加力点に埋設することで、ウェブ側面に設ける従来の突起などの増し厚が不要となり、作業手間や工期のかからないより簡便な水平反力調整装置を提供することができる。
【００５４】
また、本発明に係る他の水平反力調整装置によれば、前記定着具を、プレストレストコンクリート構造物におけるＰＣ鋼材を緊張してコンクリート部材に定着するＰＣ定着部近傍を補強するための定着具筋と、前記ＰＣ鋼材の端部を定着するための筒状のガイドとを用いて構成したので、加力点付近の部材補強を、実績のあるＰＣ定着具の指針等によって容易に決定することができる。
【００５５】
また、本発明に係る他の水平反力調整装置によれば、前記定着具を、前記ウェブの断面図心に埋設固定したので、水平加力を主桁断面に直接的に加力することができる。
【００５６】
また、本発明に係る水平反力調整方法によれば、橋脚間に渡って張出架設工法により構築される橋桁に作用する水平反力を調整するための方法であって、径間の閉合部において、橋軸方向に対向する前記橋桁のウェブ内部にそれぞれ一対の定着具を埋設固定した後、前記一対の定着具が互いに離れる向きの水平力を加力するので、定着具を加力点に埋設することで、ウェブ側面に設ける従来の突起などの増し厚が不要となり、作業手間や工期のかからないより簡便な水平反力調整方法を提供することができる。
【００５７】
また、本発明に係る他の水平反力調整方法によれば、前記定着具を、プレストレストコンクリート構造物におけるＰＣ鋼材を緊張してコンクリート部材に定着するＰＣ定着部近傍を補強するための定着具筋と、前記ＰＣ鋼材の端部を定着するための筒状のガイドとを用いて構成したので、加力点付近の部材補強を、実績のあるＰＣ定着具の指針等によって容易に決定することができる。
【００５８】
また、本発明に係る他の水平反力調整方法によれば、前記定着具を、前記ウェブの断面図心に埋設固定したので、水平加力を主桁断面に直接的に加力することができる。
【産業上の利用可能性】
【００５９】
以上のように、本発明に係る水平反力調整装置および方法は、ラーメン橋などの橋桁の水平反力を調整するのに有用であり、特に、作業手間や工期をかけずにより簡便に水平反力を調整するのに適している。
【符号の説明】
【００６０】
１０  水平反力調整装置
１２  橋脚
１４  主桁（橋桁）
１６  内ウェブ
１８  外ウェブ
２０  定着具
２０Ａ  ガイド
２０Ｂ  スパイラル筋（定着具筋）
２０Ｃ，２０Ｄ  補強筋（定着具筋）
２０Ｅ  定着ブロック
２２  油圧ジャッキ（水平加力手段）
２４  軸力部材
２６  調整材
２６Ａ，２６Ｂ  山留材
２６Ｃ  硬質ゴム板
２６Ｄ  支圧部ずれ止め板
２６Ｅ  解体用サンドジャッキ
２６Ｆ  仮固定用アンカー
２８  設置用ブラケット
３０  仮受け用架台
３２  切り欠き部
Ａ  閉合部
Ｃ  構造中心線
Ｚ１  断面図心軸
Ｚ２  部材軸
【図１】
0006497662.tif 000002
【図２】
0006497662.tif 000003
【図３】
0006497662.tif 000004
【図４】
0006497662.tif 000005
【図５】
0006497662.tif 000006
【図６】
0006497662.tif 000007
【図７】
0006497662.tif 000008
【図８】
0006497662.tif 000009
【図９】
0006497662.tif 000010
【図１０】
0006497662.tif 000011
【図１１】
0006497662.tif 000012
【図１２】
0006497662.tif 000013
【図１３】
0006497662.tif 000014
【図１４】
0006497662.tif 000015
【図１５】
0006497662.tif 000016
【図１６】
0006497662.tif 000017